(57)【要約】【課題】  庭木の剪定時、特に高所において枝木を保持しながらカットできる、片手操作を可能にした、枝木ガイド付きチェーンソーを提供する。【解決手段】硬質軽量の材質で、一端を曲線状に曲げ、他端に取り付け穴を設けた曲線枝木ガイドで、これをチェーンガイド板に設けた固定穴に斜め前方下向きに設けたもので、これによって枝木を固定しつつ後方に送り、片手でチェーンソーを操作できることを特徴とする枝木ガイド付きチェーンソーである。【選択図】図１
2015174445.tif 000002
【特許請求の範囲】
【請求項１】
硬質軽量の材質で、一端を曲線状に曲げ他端に取り付け穴を設けた曲線枝木ガイドで、これをチェーンガイド板に設けた固定穴に斜め前方下向きに取り付け、本体を前方に押出すだけの動作により、枝木を保持すると共に枝木を奥へ送り込みながらカットし、よって片手でもカット作業が出来ることを特徴とする枝木ガイド付きチェーンソー。
【発明の詳細な説明】
【技術分野】
【０００１】  本発明は庭木の剪定時、特に高所において枝木を保持しながらカットできる、片手操作を可能にした、枝木ガイド付きチェーンソーに関するものである。
【背景技術】
【０００２】  従来、庭木の剪定において、通常細い枝は剪定バサミ、それ以上の場合は手ノコでカットするが、より太い枝の場合は効率を上げるためチェーンソーを使用していたが、高所においての作業は片手作業になるため力が入らずまた非常に危険であった。
この解決法として枝木を挟んでカットするチェーンソーがあった（非特許文献参照）。
【先行技術文献】
【特許文献】
【０００３】
【非特許文献】
【非特許文献】  Ｂｌａｃｋ  ＆  Ｄｅｃｋｅｒ社、カタログ名：ガーデニング、商品名：ハサミ型チェーンソー
【発明の概要】
【発明が解決しようとする課題】
【０００４】  そのため次のような問題があった。
（イ）チェーンソーは１０センチ程度以上の太い木には適しているが、数センチ以下の枝木においては跳ね返るキックバック現象により切り難く、特に高所において手の届き難い枝木では、チェーンソーの基本的使い方である両手でチェーンソーを保持してカットすることは殆んど不可能である。
（ロ）高所での作業はどうしても片手で体を支え、もう片方の手でこの作業具を使うことになるので非常に危険である。
（ハ）非特許文献のようにハサミ型ではカット時安定してカットできるが、重くなると共に挟む、放すの動作が必要なので両手を使うことになり、やはり危険である。
本発明は以上の問題点を解決しようとするものである。
【課題を解決するための手段】
【０００５】  プラスチックやアルミニュームなどの硬質軽量の材質で、一端を曲線状に曲げ、他端に取り付け穴を設けた曲線枝木ガイドで、これをチェーンガイド板に設けた固定穴に斜め前方下向きに設けたもので、これによって枝木を固定しつつ後方に送り、片手でチェーンソーを操作できる。
以上を特徴とする枝木ガイド付きチェーンソーである。
【発明の効果】
【０００６】  本発明はこの様な構造のため次のような効果をもたらす。
（イ）チェーンソーをそのまま上から木に当てただけであると、キックバック現象により跳ね返り、うまくカット出来ないが、曲線枝木ガイド１により枝木を挟み固定するのでキックバック現象を防ぎ安定する。
（ロ）曲線状に曲げたガイドの先端はチェーンソーの先端と１０センチ程度開いているため、この程度の太さの枝に対応できる。
（ハ）ガイドを曲線状に曲げたことにより、図２の直線型ガイドよりチェーンソー全体が短くて済み、軽くなると共に狭い枝木内に入れやすく作業がし易い。
（ニ）また、曲線状に曲げたことにより枝木を保持し易くなり、下ろした枝木を細かくカットする場合、受け具として作業し易い。
（ホ）曲線枝木ガイド１の先端部に枝木を挟み、前に押すと曲線枝木ガイド１に枝木を押上げるベクトル力が働くので、結果的にはチェーンソーを上から押していると同じになる。
（ヘ）本体を前に押し続ければ、この押す力とソーチェーンの回転の力で枝木はガイドに沿って奥へ送られカットされる。
【図面の簡単な説明】
【０００７】
【図１】  本発明の側面図
【図２】  本発明の枝木ガイドが直線形態の側面図
【図３】  本発明の枝木ガイドが曲線形態を示した詳細斜視図
【図４】  本発明の枝木ガイドにより枝木に掛かる力を示した側面図
【発明を実施するための形態】
【０００８】  以下、本発明の実施の形態を説明する。
（イ）曲線枝木ガイド１はプラスチックやアルミニュームなどの軽量硬質な材質で、平形、または角形の材料を用いて、一端は曲線状に曲げ、他端には取り付け穴（取り付けボルト６の位置）を設ける。
（ロ）チェーンソーのチェーンガイド板３には、曲線枝木ガイド１の取り付け穴に合致する固定穴（取り付けボルト６の位置）を設ける。
（ハ）曲線枝木ガイド１はチェーンガイド板３の片面に、また丈夫さや安定性を重視する場合は左右対称の物を両面に取り付ける。
（ニ）曲線枝木ガイド１の中央部にはカットした木屑を逃がすための木屑溝８を設ける。
（ホ）曲線枝木ガイド１の直線部はソーチェーン４とおおよそ３０度〜５０度程度の角度で取り付けるが、この角度でなくてはならないことはなく、ソーチェーン４のカット抵抗、すなわちカットしながら奥へ送ることを妨げないために設けた角度であり、浅ければ送り易いが深ければ送りにくい。
（ヘ）角度を設けたもう一つの理由は、高所での作業はどうしても片手作業になり、前後に動かすことしか出来ないが、上から押し付ける力は必要である。
（ト）この力を得るために、図４において、本体５を前にＦの力で押すと、曲線枝木ガイド１に接触している枝木には、動いた位置によってベクトルの方向と量は変化するが、曲線枝木ガイド１から上向きベクトルＦ１が生じ、本体を上から押し付けたと同じ力が得られることになる。
（チ）曲線枝木ガイド１は、図２のように直線枝木ガイド２でも可能であるが、太い木を切るために開口部を大きくする必要があるためチェーンガイド板３の全長が長くなり、そのため重くもなるので作業上大きな問題になる。
（リ）曲線部のカーブはチェーンガイド板３の先端部のカーブに沿っており、また、このカーブよりやや開いたカーブを持たせてある。
（ヌ）このカーブにより曲線枝木ガイド１は直線枝木ガイド２と同じ長さと角度を持ったことになるので、チェーンガイド板３は短くて済む。
（ル）また、このカーブが枝木の丸みにマッチするので安定して挟みやすい。
（ヲ）枝木を安定させる案として、曲線枝木ガイド１に類似したハサミを可動させてクランプする技術（非特許文献参照）がある。
（ワ）この技術は本発明におけるＦ１の力を得るためにハサミを設けたものであるが、構造が複雑になるため重くなると共にハサミのセット、リセットに手間取り、高所作業には危険であるが、本発明では簡単な構造で同等の目的を安全に果せる。
本発明は以上のような構成である。
これを使用するときは、上記のガイド付きチェーンソー本体５の曲線枝木ガイド１をカットする枝木７に押し込み、前に押し出しながらソーチェーン４を回転させると、Ｆの力に応じて得られる上向きベクトルＦ１によってカットされる。
また、曲線枝木ガイド１はソーチェーン４に対して斜め前方下向きに３０度〜５０度ほどの角度を持って固定されているため、枝木はあまり抵抗を受けることなく奥へスライドしながらカットされる。
この結果、チェーンソー本体５を片手で持って前方へ押し出すだけで枝木をカット出来る。
【符号の説明】
【０００９】  １    曲線枝木ガイド
２    直線枝木ガイド
３    チェーンガイド板
４    ソーチェーン
５    本体
６    取り付けボルト
７    枝木
８    木屑溝
Ｆ    本体を押す力
Ｆ１  上向きベクトル
【図１】
2015174445.tif 000003
【図２】
2015174445.tif 000004
【図３】
2015174445.tif 000005
【図４】
2015174445.tif 000006